(57)【要約】      （修正有）【課題】コインの投入金額に応じた時間だけ運転した後で、利用者が所有玄米を張り込む張込みタンク内に玄米が残っている場合がある。本発明は残っている玄米を処理することを課題とする。【解決手段】張込みタンク（２７）内に張り込まれた玄米を定量排出するロータリバルブ（２９）と、張込みタンク（２７）内に張り込まれた玄米を精米する精米機と、該精米機で精米された白米を取り出す白米取出口と、コインを投入するコイン投入口と、精白度を設定する操作盤とを備え、前記ロータリバルブ（２９）の排出側には二方向に分岐先を切換える切換器（３２）を設け、該分岐先の一方を投入された利用者の所有玄米を返却する玄米返却口（３３）に接続する構成とし、返却ボタンを押下すると前記切換器（３２）が切り換えられて前記張込みタンク（２７）内の玄米が玄米返却口（３３）から排出する。【選択図】  図３
2006082084.tif 000002
【特許請求の範囲】
【請求項１】
利用者の所有玄米を張り込む張込みタンク（２７）と、該張込みタンク（２７）内に張り込まれた玄米を定量排出するロータリバルブ（２９）と、張込みタンク（２７）内に張り込まれた玄米を精米する精米機（１６）と、該精米機（１６）で精米された白米を取り出す白米取出口（２０）と、コインを投入するコイン投入口と、精白度を設定する操作盤（２５）とを備え、前記ロータリバルブ（２９）の排出側には二方向に分岐先を切換える切換器（３２）を設け、該分岐先の一方を投入された利用者の所有玄米を返却する玄米返却口（３３）に接続する構成とし、返却ボタンを押下すると前記切換器（３２）が切り換えられて前記張込みタンク（２７）内の玄米が玄米返却口（３３）から排出される構成としたことを特徴とする時間貸し精米機。
【発明の詳細な説明】
【技術分野】
【０００１】
この発明はコインを投入してコイン作動機構により精米機を投入コインに応じた時間だけ運転させる時間貸し精米機に関する。
【背景技術】
【０００２】
特許文献１にはコインを投入してコイン作動機構により精米機を投入コインに応じた時間だけ運転させる時間貸し精米機に関する技術が記載されている。
【特許文献１】特開平４−２０９０８８号公報
【発明の開示】
【発明が解決しようとする課題】
【０００３】
コインの投入金額に応じた時間だけ運転した後で、利用者が所有玄米を張り込む張込みタンク内に玄米が残っている場合がある。本発明は残っている玄米を処理することを課題とする。
【課題を解決するための手段】
【０００４】
本発明は、上記課題を解決するために次の技術的手段を用いる。
すなわち、利用者の所有玄米を張り込む張込みタンク（２７）と、該張込みタンク（２７）内に張り込まれた玄米を定量排出するロータリバルブ（２９）と、張込みタンク（２７）内に張り込まれた玄米を精米する精米機（１６）と、該精米機（１６）で精米された白米を取り出す白米取出口（２０）と、コインを投入するコイン投入口と、精白度を設定する操作盤（２５）とを備え、前記ロータリバルブ（２９）の排出側には二方向に分岐先を切換える切換器（３２）を設け、該分岐先の一方を投入された利用者の所有玄米を返却する玄米返却口（３３）に接続する構成とし、返却ボタンを押下すると前記切換器（３２）が切り換えられて前記張込みタンク（２７）内の玄米が玄米返却口（３３）から排出される構成としたことを特徴とする時間貸し精米機とする。
【０００５】
本発明によると、利用者が所有する玄米を張込みタンク（２７）に張り込み、料金を投入して精白度を設定すると張込みタンク（２７）内の玄米はロータリバルブ（２９）で定量ずつ排出される。そして、精米機（１６）で精米された白米は白米取出口（２０）に取り出される。
【発明の効果】
【０００６】
コインの投入金額に応じた時間だけ運転した後で張込みタンク（２７）内に玄米が残っている場合には、返却ボタンを返却することで切換器（３２）が切り換えられ、張込みタンク（２７）内の玄米は玄米返却口（３３）から排出されることで、利用者に返却することができる。
【発明を実施するための最良の形態】
【０００７】
以下に図面を参照して本発明の実施例について説明する。  
図１は本発明の実施例の精米販売機１の正面図である。図１において２、３、４、５は玄米を貯留する玄米貯蔵タンクであり、その底部には玄米排出器としてのロータリバルブ６、７、８、９をそれぞれ設ける。玄米貯蔵タンク２、３、４、５の正面には各タンク内の貯留玄米量を外部から観察するための透視窓１０、１１、１２、１３を設ける。玄米貯蔵タンク２、３、４、５の下方には玄米の重量を測定するための計量ホッパ１４を配置する。  
【０００８】
玄米貯蔵タンク２、３、４、５のロータリバルブ６、７、８、９の排出側には漏斗状の玄米ホッパ１５を配置し、この玄米ホッパ１５の底部排出口を計量ホッパ１４の上方にのぞませる。  
【０００９】
１６は精米機であり、その上部には吸気管１７の吸気口および玄米圧送管１８の出口を接続する。吸気管１７は吸引ブロワ１９の吸気側に接続するとともに、玄米圧送管１８の入口側は計量ホッパ１４の底部にのぞませる。精米機１６の下部の排出側には精米後の白米を取出す白米取出口２０を設けるとともに、精米機１６の玄米を計量ホッパ１４に還元する還元管２１を分岐し、還元管２１の終端部は計量ホッパ１４の上部にのぞませる。  
【００１０】
これら玄米貯蔵タンク２、３、４、５、精米機１６、計量ホッパ１４などは機枠内に一体に組付け、本体ユニットＡを構成する。  
２２は糠タンクであり、糠タンク２２の下方には糠吸引ブロワ２３を配置し、さらにその下方には石抜き機２４を配置する。糠吸引ブロワ２３の機体正面側には、操作盤２５と顧客の所有玄米を投入する開閉自在の玄米張込み口２６を設ける。  
【００１１】
これら糠タンク２２、石抜き機２４、操作盤２５および玄米張込み口２６などは一体的に組付け、玄米投入ユニットＢを構成する。図２に、この玄米投入ユニットＢの側面図を図示する。  
【００１２】
２７は投入された顧客の所有玄米を張込む張込みタンクであり、その入口にはシャッタ２８を設け、その底部には玄米排出器としてのロータリバルブ２９を設ける。さらに、その下方には圧送ブロワ３０を配置する。圧送ブロワ３０には玄米圧送管３１を接続し、玄米圧送管３１の終端部は計量ホッパ１４の上部にのぞませる。ロータリバルブ２９の排出側には２方向に分岐先を切換える切換器３２を設け、分岐先の一方は投入された顧客の所有玄米を返却する玄米返却口３３に、他方は玄米圧送管３１にそれぞれ接続する。  
【００１３】
これら張込みタンク２７、ロータリバルブ２９および圧送ブロワ３０などは一体的に組付け、玄米保管ユニットＣを構成する。図３に玄米保管ユニットＣの側面図を図示する。  
精米機１６の中部には糠排出管３４を接続するとともに、この糠排出管３４の終端部は糠タンク２２の上部に接続する。  
【００１４】
糠吸引ブロワ２３の吸気側は、糠吸引管３５を介して糠タンク２２内に接続する。また、糠吸引ブロワ２３の排気側は圧送管３６に接続する。この圧送管３６の中部を石抜き機２４の排出口と張込みタンク２７の入口に分岐接続するとともに、圧送管３６の終端部には可撓管３７を接続する。この可撓管３７の終端部には図中左右方向に移動自在な切換器３８を設け、可撓管３７の終端部を玄米貯蔵タンク２、３、４、５のうちいずれかの上部に選択的に接続する。  
【００１５】
操作盤２５は図示しない制御装置を内蔵し、本体ユニットＡ、玄米投入ユニットＢおよび玄米保管ユニットＣと電気的に接続して各部を所定の手順で制御する。  
本発明の実施例は以上のような構成で、利用者が所有玄米を玄米張込み口２６に張り込むと、張り込まれた玄米は石抜き機２４に流下し、石抜きが行われる。石抜き機２４の排出口から排出された玄米は圧送管３６に流れ込み、糠吸引ブロワ２３の排気により、圧送管３６を通じて張込みタンク２７の入口まで搬送される。この時、張込みタンク２７の入口にあるシャッタ２８は開いているので、搬送された玄米は入口から流下して張込みタンク２７に張り込まれる。  
【００１６】
利用者がいろいろな品種の玄米を好みの比率で配合して精米する、いわゆるブレンド精米時には、投入した玄米を一旦玄米貯蔵タンクに張り込む必要がある。そのため、張込みタンク２７の入口にあるシャッタ２６は閉じて置く。こうすると圧送管３６を通じて張込みタンク２７の入口まで搬送された玄米は可撓管３７を通して玄米貯蔵タンク２、３、４、５のいずれかに張り込まれる。  
【００１７】
利用者の所有玄米が張込みタンク２７に張り込まれたら、利用者は米袋を精米機１６の白米取出口２０にセットし、操作盤２５にある図示しないコイン投入口からコインを投入し、所望する量と精白度を操作盤２５により設定する。  
【００１８】
この設定に従って、張込みタンク２７のロータリバルブ２９が所要量に応じた回転数だけ回転し、玄米を定量排出する。この排出された利用者の所有玄米は玄米圧送管３１を通して計量ホッパ１４に張り込まれる。  
【００１９】
この後、計量ホッパ１４内の玄米は、玄米圧送管１８により吸引搬送され、精米機１６に張り込まれる。張り込まれた玄米は、精米機１６内で精米されて白米となり、白米取出口２０から利用者が先にセットした米袋に排出される。  
【００２０】
精米の際に生じた糠は、糠吸引ブロワ２３の吸引により糠排出管３４を通して糠タンク２２に収納される。  
精白した後で、まだ張込みタンク２７に玄米が残っている場合は、利用者が操作盤２５にある図示しない返却ボタンを押下すると、ロータリバルブ２９の排出側にある切換器３２が切換えられて残りの玄米が玄米返却口３３から排出される。このとき利用者がコインを追加すると、残りの玄米は継続して精米処理される。  
【００２１】
本発明の実施例は以上のような構成で、利用者が投入した玄米を自動的に計量し、投入金額に応じて精米処理する。従って、従来の精米販売機を小型の精米機として手軽に利用でき、あらかじめ計って置かなくても自動的に所要量の玄米を精米できる。また、投入金額分だけ精米処理され、残りは返却されるので、所要量を越えた分は玄米として持ち帰ることもできる。  
【００２２】
次に、本発明に関連して精米処理で生じた糠を利用者が持ち帰りできる精米販売機の実施例について説明する。本実施例の精米販売機は前記の本体ユニットＡ、玄米投入ユニットＢおよび玄米保管ユニットＣに加え、糠排出ユニットＤを追加したものである。図４に、本実施例の糠排出ユニットＤの側面図を示す。図４において精米機１６から糠タンク２２へ繋がる途中の糠排出管３４を糠排出ユニットＤの入口部に引込み、そこに２方向に分岐先を切換える切替器３９を設ける。分岐先の一方は糠排出管３４に戻し、他方は糠吸引ブロワ４０の吸引側に接続する。糠吸引ブロワ４０の排出側は糠ホッパ４１の上部にのぞませ、糠ホッパ４１の底部排出口には排出した糠をパック詰めするシールパッカー装置４２を配置する。さらに、シールパッカー装置４２の下部には、パック詰めした糠を取出す取出口４３を設ける。  
【００２３】
シールパッカー装置４２は、袋用ビニール４４と、袋送り出し用モータ４５と、パック用ヒーター４６と、袋カッター４７とで構成する。  
本実施例は以上のような構成で、利用者が本体ユニットＡにある操作盤２５を操作して、糠の持ち帰りを指示する。この指示に従って、切替器３９が糠排出管３４を糠吸引ブロワ４０の吸引側に接続する。精米処理が開始すると、生じた糠は糠吸引ブロワ４０の吸引により、糠排出管３４を通して糠ホッパ４１に収納される。  
【００２４】
精米処理が終了すると、シールパッカー装置４２が起動され、糠ホッパ４１に収納された糠はパック詰めされてシールパッカー装置４２の下部に落下する。落下した糠パックは取出口４３から取出す。  
【００２５】
従来の精米販売機では、精米の際に生じた糠を利用者が持ち帰ることはできなかった。もし、糠を持ち帰るとしたら、機内の糠タンクから糠を取出さなければならず、精米販売機を設置する店舗環境などを考えると、持ち帰ることは不可能であった。  
【００２６】
本実施例によれば、従来の精米販売機に糠持ち帰り用ユニットを追加するだけで、利用者の希望に応じて精米の際に生じた糠を、自動的に受け渡すことができる。従って、精米販売機の糠処理が軽減されるとともに、利用者の多様なニーズに応えられるという効果を奏する。  
【図面の簡単な説明】
【００２７】
【図１】本発明の実施例の精米販売機機の正面図である。
【図２】玄米投入ユニットＢの側面図である。
【図３】玄米保管ユニットＣの側面図である。
【図４】糠排出ユニットＤの側面図である。
【符号の説明】
【００２８】
１ 精米販売機  
２、３、４、５ 玄米貯蔵タンク  
６、７、８、９、２９ ロータリバルブ  
１０、１１、１２、１３ 透視窓  
１４ 計量ホッパ  
１５ 玄米ホッパ  
１６ 精米機  
１７ 吸気管  
１８、３１ 玄米圧送管  
１９ 吸引ブロワ  
２０ 白米取出口  
２１ 還元管  
２２ 糠タンク  
２３ 糠吸引ブロワ  
２４ 石抜き機  
２５ 操作盤  
２６ 玄米張込み口  
２７ 張込みタンク  
２８ シャッタ  
３０ 圧送ブロワ  
３２ 切換器  
３３ 玄米返却口  
３４ 糠排出管  
３５ 糠吸引管  
３６ 圧送管  
３７ 可撓管  
３８、３９ 切換器  
４０ 糠吸引ブロワ  
４１ 糠ホッパ  
４２ シールパッカー装置  
４３ 取出口  
４４ 袋用ビニール  
４５ 袋送り出し用モータ  
４６ パック用ヒーター  
４７ 袋カッター  
【図１】
2006082084.tif 000003
【図２】
2006082084.tif 000004
【図３】
2006082084.tif 000005
【図４】
2006082084.tif 000006